(57)【要約】【課題】X線探知可能材料を含む手術用タオルを提供する。【解決手段】本発明のX線探知可能材料を含む手術用タオルは、手術後に、手術用タオルが遺失して、再度、患者の体内を探すというような事態が発生しないようにする。手術用タオルは、一片のX線探知可能材料を含む織布であり、X線探知可能材料は、織布の縁に縫われるか、布に貼附される。縁を縫う糸の色は、織布と異なる色にして、手術用タオルがX線探知可能材料を含んでいることを識別しやすくなっている。X線探知可能材料は、医療スタッフがX線検査をする時に、容易に探知できる。X線探知可能材料が発見されなかった時、不要な手術を施すのを回避することが出来る。【選択図】図1
2005152639.tif 000002
【特許請求の範囲】
【請求項１】
手術用タオルであって、
少なくとも一つの縫製された縁を有する一枚の織布と、
前記縁により囲繧され、X線照射時に識別される少なくとも一片のX線探知可能材料と、
からなることを特徴とする手術用タ才ル。
【請求項２】
前記少なくとも一つの縁の綴じ糸の色は、前記織布と異なることを特徴とする請求項1に記載の手術用タオル。
【請求項３】
前記X線探知可能材料は、重晶石、バリウム、硫酸バリウムであることを特徴とする請求項1に記載の手術用タオル。
【請求項４】
前記X線探知可能材料は、更に、ポリ塩化ビニル(PVC)であることを特徴とする請求項3に記載の手術用タオル。
【請求項５】
前記X線探知可能材料は、60%の硫酸バリウム、及び、40%のPVCであることを特徴とする請求項4に記載の手術用タオル。
【請求項６】
前記織布は、綿、合成材料、或いは、二者の組み合せであることを特徴とする請求項1に記載の手術用タオル。
【請求項７】
前記織布は、単層であることを特徴とする請求項1に記載の手術用タオル。
【請求項８】
前記X線探知可能材料は、型押し、コード化、ナンバリングされるか、或いは、識別可能な特性を有し、X線を照射する物件が手術用タオルであることを識別することを特徴とする請求項1に記載の手術用タオル。
【請求項９】
手術用タオルであって、
四辺からなる一枚の単層の綿織布と、
前記の四辺の少なくとも一つに縫われた少なくとも一つの縁と、
前記縁を縫製する糸と、
前記少なくとも一つの縁により囲繞された少なくとも一つのX線探知可能材料と、
からなることを特徴とする手術用タオル。
【請求項１０】
前記糸の色は、前記織布の色と異なることを特徴とする請求項9に記載の手術用タオル。
【請求項１１】
前記X線探知可能材料は、重晶石、バリウム、硫酸バリウムであることを特徴とする請求項9に記載の手術用タオル。
【請求項１２】
前記X線探知可能材料は、更に、ポリ塩化ビニル(PVC)であることを特徴とする請求項11に記載の手術用タオル。
【請求項１３】
前記X線探知可能材料は、60%の硫酸バリウム、及び、4O%のPVCであることを特徴とする請求項12に記載の手術用タオル。
【請求項１４】
前記X線探知可能材料は、型押し、コード化、ナンバリングされるか、或いは、識別可能な特性を有し、X線を照射する物件が手術用タオルであることを識別することを特徴とする請求項9に記載の手術用タオル。
【請求項１５】
手術用タ才ルであって、
一枚の織布と、
前記織布に貼附された少なくとも一片のX線探知可能材料と、
からなることを特徴とする手術用タオル。
【請求項１６】
前記少なくとも一片のX線探知可能材料は、前記織布に縫われた縁により包覆されることにより、前記織布に貼附されることを特徴とする請求項15に記載の手術用タオル。
【請求項１７】
前記綴じ糸の色は、前記織布と異なることを特徴とする請求項16に記載の手術用タ才ル。
【請求項１８】
前記X線探知可能材料は、重晶石、バリウム、硫酸バリウムであることを特徴とする請求項15に記載の手術用タオル。
【請求項１９】
前記X線探知可能材料は、縫い合わせ、織り込み、アイロンで、前記織布上に貼附されることを特徴とする請求項15に記載の手術用タオル。
【請求項２０】
前記織布は、綿、合成材料、或いは、二者の組み合せであることを特徴とする請求項15に記載の手術用タオル。
【請求項２１】
前記織布は、単層であることを特徴とする請求項15に記載の手術用タオル。
【請求項２２】
前記X線探知可能材料は、型押し、コード化、ナンバリングされるか、或いは、識別可能な特性を有し、X線を照射する物件が手術用タオルであることを識別することを特徴とする請求項15に記載の手術用タオル。
【発明の詳細な説明】
【技術分野】
【０００１】
本発明は、手術用タオル(surgica1towe1)に関するものであって、特に、X線で探知可能な材料からなり、患者が手術後に、手術用タオルが見つからない情況にある時、患者に対し、再度、手術を施して確認する面倒を回避する手術用タオルに関するものである。
【背景技術】
【０００２】
手術の前に、医療スタッフは、患者の手術をする箇所(切開部位)に、手術の準備として、手術用タオルを配置する。この手術タオルは固定されて、切開箇所を重畳、囲繞する。この他、手術タオルはトレイの上に放置されて、手術器械を放置するのにも用いられる。
【０００３】
手術タオルの目的は、手術の際の衛生的な環境を構築するためのもので、吹き出す血液の量を減少させる。手術の時、外科の医師が切開手術を施すと、血液が流出するが、通常は、ガーゼで出来た外科用スポンジにより、流出した血液や体内の血液を吸い取る。しかし、血液量が多い時は、消毒ガーゼは不適用である。このような時、医療スタッフは、手術タオルを使用する。
【０００４】
このような情況で、手術タオルが人体内に放入される。手術タオルは血液中で浸漬して、識別が非常に困難になって、体内に残される恐れがある。手術用タオルが体内に残されていることに気付かない場合、しばらくすると、患者は体の不調を再度訴え、二度目の手術をして、前の手術部位で、遺失した手術タオルを取り出すという被害を被る。
【０００５】
しかし、二度目の手術をしない情況下で、タオルが本当に体内に残っているのかを判断するのは難しく、事実上、患者の体の不調の本当の原因は、タオルの除去忘れであるが、患者はその他の病名で、本来は不要であった手術を受けるはめになる。
【０００６】
更に、このような情況下で、被害を受けた患者は、医療スタッフに対し、医療過誤訴訟を起こすことになる。
【０００７】
よって、手術後に、手術タオルが体内に残留していないかを容易に判断でき、患者に不要な二度目の手術を受けさせない手段が必要である。
【発明の開示】
【発明が解決しようとする課題】
【０００８】
解決しようとする課題は、上述の欠点を改善することができる、X線探知可能材料からなる外科用タオルを提供し、患者の術後、タオルを遺失する情況が生じた時、再び、患者の体に進入する必要がなく、また、患者が手術後に、異物が体内にあるのではないかと懐疑させないようにすることを目的とする。
【０００９】
本発明の手術タオルにより、患者は、X線で容易に、手術後に、体内に手術タオルが遺留していないかどうかを判断することができる。X線検査の時、手術タオルが体内に残っている場合、医療スタッフは、X線探知可能材料を、容易に検出することができる。もし、いかなるX線探知可能材料がみつからなかったら、患者の体内を再び探す必要がない。
【００１０】
これらの手術用タオルは、担架、或いは、手術用ベッドを覆うのに用いられると共に、消毒器具と手術用器具を放置する無菌場所を提供する。手術用多オルは、無菌の跳ね飛び防止カバーを提供して、流出、或いは、吹き出す血液を吸い取り、同時に、切開部位を表示する。それらは、一般のガーゼのように、血液を吸い取るものではない。
【００１１】
本発明は、更に、少なくとも一片のX線探知可能材料からなり、X線が手術用タオルの存在を示すことが出来る手術用タオルを提供することを目的とする。
【００１２】
本発明は、更に、少なくとも一片のX線探知可能材料からなり、材料は、タオルの縁が、包覆される、織り込まれる、アイロンする、或いは、その他の方法により、タオル上に貼附されたもので、生産が容易で、X線探知可能材料は、不意に、タオルから剥がれ落ちることがない手術用タオルを提供することを目的とする。
【００１３】
本発明は、更に、材料の縁の糸は、手術用タオルと異なる色の糸で縫製し、タオルがX線探知可能材料であるかを容易に識別できるX線探知可能材料からなる手術用タオルを提供することを目的とする。
【課題を解決するための手段】
【００１４】
本発明は、X線探知可能材料からなる手術用タオルを提供し、手術用タオルは、単層の100%コットンの織布からなる。織布は、合成材料、或いは、多層材料からなり、染色しても、しなくてもよい。織布は、少なくとも一辺が折畳されて縫合され、一つの縁を形成する。本発明の一実施例中、手術料タオルは、三辺が縁を有するが、一辺、二辺、三辺、或いは、全四辺が縁取られていても、縁取られていなくてもよい。
【００１５】
縫合する縁の糸は、例えば、合成繊維糸である。糸の色は、タオルと同じでもよいが、好ましくは、タオルと異なるほうがいい。異なるほうが、手術用タオルは、X線探知可能材料であると識別しやすいからである。
【００１６】
縫合の前、或いは、縫合の際、一片のX線探知可能材料は、織布の摺曲に置入され、縁により囲繞される。X線探知可能材料は、X線により容易に探知できる材質である。本発明の一実施例中、X線探知可能材料は、重晶石、バリウム、硫酸バリウム、ポリ塩化ビニル(PVC)である。本実施例中、材料は60%の硫酸バリウム、及び、40%のPVC糸である。PVC材料は、糸が伸縮して、硫酸バリウム材料を保護する。
【００１７】
X線探知可能材料の長さ、或いは、数量は、コスト、効率、或いは、便利性により選択する。一般的には、3〜4インチ片が探知に充分な大きさである。
【００１８】
この他、X線探知可能材料は、弾性の細長い一片で、縁の内側に縫い付けられるか、或いは、縁と共に、縫い付けられる。もし、X線探知可能材料の一部が露出するのなら、X線探知可能材料は、その他の識別マークが見える必要はない。材料の上から縫い付けると、X線探知可能材料を、更に、強固にタオル上に固定することが出来る。
【００１９】
この他、X線探知可能材料は、型押し、コード化、ナンバリングされるか、或いは、識別可能な特性を有する。その他のX線探知可能材料が、患者の体内に故意に置入された場合、X線探知可能材料の独特な性質により、その物件が手術用タオルであることを容易に識別する。例えば、材料上に、ブランド名等の字体があり、X線検査時に読み取ることが出来る。
【００２０】
更に、複数のX線探知可能材料は、その識別性、或いは、探知性を増加するのに用いられる。例えば、一片の材料は、幾つかの縁、或いは、特定位置に置入される。
【００２１】
X線探知可能材料はタオルに縫い入れられ、材料は、タオルに縫う、織入れられる、或いは、取り付けられる。また、X線探知可能材料は、手術用タオル上に取り付けられて、ループかタブを形成する。ループは、手術用タオルを掛けたり、取ったりするのに便利で、タブは、握るのに便利である。この他、材料がラベルか、或いは、材料がラベル内に置入され、ラベルはタオル上に貼附される。例えば、手術用タオルの製造メーカー、或いは、商品名を有するラベルは、X線探知可能材料を含む。ラベルは、メーカーを示し、タオルがX線探知可能材料であることを特定するものである。
【００２２】
X線探知可能材料は、一本のライン形式で、手術用タオル中に縫い入れたり、或いは、その他のX線識別可能な形式とされる。例えば、X線探知可能材料は、タオルに、糸を縫い込む、或いは、織り入れてもよい。
【００２３】
ある手術用タオルは使い捨てで、あるものは、重複使用が可能である。タオルは、例えば、ガンマ放射線、或いは、蒸気により消毒されるか、未消毒使用される。更に、手術用タオルは、色によって、捨てる、再使用する、消毒済み、或いは、未消毒、を示すことができる。
【発明の効果】
【００２４】
本発明のX線探知可能材料からなる外科用タオルは、術後、タオルを遺失する情況が生じた時、不必要に、患者の体に進入する必要がないという利点がある。
【発明を実施するための最良の形態】
【００２５】
以下、本発明の実施例について、図面を参照しながら説明する。
【実施例１】
【００２６】
図1は、本発明のV線探知可能材料からなる手術用タオルを示す図である。図1で示されるように、手術用タオル100は、単層の100%コットンの織布110からなる。タオル100は、糸130で縫い合わされた少なくとも一つの縁120を有する。タオル100は、更に、縁120により囲繞された、少なくとも一片のX線探知可能材料140からなる。縁120を縫うのに使用される糸130の色は布の色とは変えて、タオル100がX線探知可能材料140を有することを容易に識別できるようにする。X線探知可能材料140は、縁120中に包覆されているので、材料140はタオル100と貼附している。図1で示されるタオル100は、三辺に縁を有しているが、これに限定するものではない。
【実施例２】
【００２７】
図2は、本発明のもう一つの実施例によるV線探知可能材料からなる手術用タオルを示す図である。図2で示されるタオルと図1のタオルは類似しているが、本実施例中、X線探知可能材料240は、弾性を有する扁平材料であることである。糸230により、材料自身を縫い付け、織布210の縁220から突出している。材料240が外に露出しているので、タオル200は、X線探知可能であることが容易に識別できる。更に、材料240は、製造者やブランド名を、材料240上に記すことができる。
【００２８】
上述のように、本発明は、V線探知可能材料からなる手術用タオルを提供し、手術後に、手術用タオルが遺失するという情況が発生した時、再び、患者の体内に進入するのを回避することができる。
【００２９】
本発明の手術用タオルにより、患者は、X線を照射する方式で、容易に、手術後に、タオルが体内に遺留していないかを判断することが出来る。X線検査により、もし、手術用タオルが体内に留置されていることが発見された場合、X線探知可能材料は、容易に、医療スタッフに探し出される。X線探知可能材料が発見されなかった時、不必要な手術を施すことがなく、患者の苦痛、手術ミスによる訴訟を回避することが出来る。
【００３０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００３１】
【図１】本発明の第一実施例によるX線探知可能材料からなる手術用タオルを示した説明図である。
【図２】本発明の第二実施例によるX線探知可能材料からなる手術用タオルを示した説明図である。
【符号の説明】
【００３２】
100,200…手術用タオル
110,210…織布
120, 220…縁
130, 230…糸
140、240…X線探知可能材料
【図１】
2005152639.tif 000003
【図２】
2005152639.tif 000004
【外国語明細書】
SURGICAL TOWEL
WITH X-RAY DETECTABLE MATERIAL
BACKGROUND OF THE
INVENTION
Field of the Invention
The
present invention relates to a surgical towel.  More specifically, the present invention
discloses a surgical towel, otherwise referred to as an operating towel, O.R.
Towel or operating room towel, with x-ray detectable material which eliminates
the need for re-entry into a patient after operating, to search for a missing
towel, in situations where operating towels are,
or may be, missing.  
Description of the Prior Art
Prior
to operating, medical staff prepare the patient for surgery by placing towels
on the patient around the area to be operated on.  This area is commonly known as the
incision area.  These towels are
positioned so that they overlap and surround the area where the opening will
be.  Additionally, the towels may be
placed on trays, and surgical tools can then be laid out on the towels. 
The
main purpose of the towels is to establish a clean and sanitary working area
during surgery, and to contain smaller amounts of spilled or splashed
blood.  However, during the
operation or surgery, after the incision is made by the surgeon, blood
inevitably flows from the patient. 
Normally, laparotomy sponges, commonly
referred to as “lap sponges”, made of gauze are used to absorb flowing blood and
blood within the body. 
Unfortunately, in some situations, the blood flow is substantial, and
the lap sponges are inadequate or
unavailable.  In these cases,
medical personnel often use the towels for other than their intended
purposes.  
When this occurs,
there is the possibility that the towel is placed inside the body.  Since the towel is drenched in blood, it
may become difficult to identify the towel.  In some instances, towels have been left
inside the body of the patient.  If
the towels are not noticed as missing, they can remain in the patient for some
time before causing enough discomfort that the patient seeks medical help.  This results in the patient having to
undergo another surgery to search the operation site for a missing towel, and
remove the towel if found.  
However,
it is currently extremely difficult to determine if a towel was left inside the
patient without re-entry into the patient. 
As a result, patients may undergo unnecessary surgery for other issues,
when in reality the cause is a misplaced towel.
Furthermore,
not only has the patient unnecessarily suffered, but medical personnel are thus
susceptible to malpractice lawsuits in these situations, which is extremely
expensive.
Therefore,
there is a need for an effective way of preventing unnecessary re-entry into a
patient after surgery to determine whether a towel was left inside the patient,
thereby reducing a patient’s suffering and the risk of malpractice lawsuits.
SUMMARY OF THE
INVENTION
To achieve these and other advantages and in order
to overcome the disadvantages of the conventional method in accordance with the
purpose of the invention as embodied and broadly described herein, the present
invention provides a surgical towel with x-ray
detectable material which eliminates the need for re-entry into a patent after
operating in situations where operating towels are missing or there is great
patient distress following surgery and a missing object may be suspected.
Utilizing the towel of the present
invention, the patient can easily be x-rayed to determine whether a towel has
been left inside the patient after surgery.  Upon examination of the x-ray, the x-ray
detectable material can easily be observed by medical personnel if a towel is
still inside the patient.  If no
x-ray detectable material is observed, unnecessary re-entry into the patient is
prevented.
The towels are used to cover
Gurneys or operating beds and also provide a sterile site to lay sterilized
instruments and operation tools on. 
The towels provide a sterile splash covering to absorb spilt or splashed
blood, while also marking out an incision site.  They are not typically intended to soak
up blood like a gauze or lap sponge is.
An
object of the present invention is to provide a surgical towel that comprises
at least one piece of x-ray detectable material so that an x-ray will indicate
the presence of a towel.
Another
object of the present invention is to provide a surgical towel that comprises
at least one piece of x-ray detectable material enclosed in a hem of the towel,
woven into, ironed on, or any anyway attached to the towel, making manufacturing
convenient and ensuring the x-ray detectable material is not inadvertently
separated from the towel
Another object of the present
invention is to provide a surgical towel with x-ray detectable material with
the thread used to stitch the hem of a different color
than the color of the towel to easily identify the
towel as being x-ray detectable. 
These
and other objectives of the present invention will become obvious to those of
ordinary skill in the art after reading the following detailed description of
preferred embodiments.
It is to be understood that both the
foregoing general description and the following detailed description are
exemplary, and are intended to provide further explanation of the invention as
claimed.
BRIEF DESCRIPTION OF THE DRAWINGS
The accompanying drawings are included
to provide a further understanding of the invention, and are incorporated in
and constitute a part of this specification.  The drawings illustrate embodiments of
the invention and, together with the description, serve to explain the
principles of the invention.  In the
drawings,
Figure 1
is a drawing illustrating a surgical towel with x-ray detectable material
according to an embodiment of the present invention; and
Figure 2
is a drawing illustrating a surgical towel with x-ray detectable material
according to an embodiment of the present invention.
DESCRIPTION OF THE PREFERRED EMBODIMENTS
Reference will now be made in detail
to the preferred embodiments of the present invention, examples of which are
illustrated in the accompanying drawings. 
Wherever possible, the same reference numbers are used in the drawings
and the description to refer to the same or like parts.
The
surgical towel of the present invention comprises a piece of fabric, for
example, a woven single-ply sheet of 100% cotton.  The fabric can also comprise synthetic
material or be multi-ply.  The
fabric is dyed or undyed and be colored
as desired.  At least one edge of
the fabric is folded over and stitched to create a hem.  In an embodiment of the present
invention, three sides of the towel are hemmed; however, one, two, three, or
all four sides of the towel can be hemmed or un-hemmed.  
The thread used for stitching the
hem is for example, a synthetic thread. 
The color of the thread can be the same color as the towel; however, to add further advantages, the
color of the thread can be a different color than the color of the
towel.  This allows the towel to be
easily identified as being x-ray detectable.  
Prior to
stitching or during stitching, a piece of x-ray detectable material is placed
inside the fold in the fabric in order to be enclosed in the hem.  The x-ray detectable material is a piece
of material that is easily detectable upon x-ray.  In an embodiment of the present
invention the x-ray detectable material comprises Barite, Barium, or BaSO4 and
Polyvinyl Chloride (PVC).  In an
embodiment the material is a 60% BaSO4 and 40% PVC thread.  The PVC material is provided to allow
the thread to stretch and protects the BaSO4 material
The length
or amount of x-ray material is selectable depending on cost, effectiveness, or
convenience.  Typically, a three to
four inch piece is sufficient for detection.
Alternatively,
the x-ray detectable material is a flexible strip which is sewn inside the hem
or through which the hem stitching is sewn.  Exposing a portion of the x-ray material
allows the x-ray material to be seen without further identifying marks.  Stitching through the material provides
further adhesion of the x-ray detectable material to the towel.
Additionally,
the x-ray detectable material can be shaped, coded, numbered, or have
identifying characteristics.  In
situations where other x-ray detectable objects are intentionally placed inside
a patient, the unique characteristics of the x-ray detectable material of the
present invention easily identify the object as a surgical towel.  For example, the material can have
wording such as a brand name that can be read upon examination of an x-ray.
Furthermore,
multiple pieces of the x-ray detectable material can be used to increase
identification or detection.  For
example, a piece of material can be placed in several hems or locations of the
towel.
Rather
than enclosing the x-ray detectable material in the hem, the material can be
sewn, woven into or adhered to the towel. 
Also, the x-ray detectable material can be attached to the towel so as
to create a loop or tab.  The loop
adds the convenience of hanging the towel or easily grasped and the tab allows
the towel to be easily grasped. 
Additionally, the material can be a label or inside a label attached to
the towel.  For example, a label
with the manufacturer or brand name of the towel can comprise x-ray detectable
material.  This label indicates the
towel maker and identifies the towel as being x-ray detectable.
Alternatively,
the x-ray detectable material may also be woven into the towel as a line going
through it, or in a manner that is readily identifiable in an x-ray.  For example, the x-ray detectable
material can be similar to a thread and stitched or woven into the towel.
Some
towels are disposable but others are re-usable.  The towels can be sterilized, for
example by Gamma radiation or steam, or used unsterilized.  Furthermore, the towels can be colorized
to indicate whether they are disposable, re-usable, sterilized, or unsterilized.
Refer to
Figure 1, which is a drawing illustrating a surgical towel with x-ray
detectable material according to an embodiment of the present invention.
As shown
in Figure 1, the surgical towel 100 comprises a sheet of fabric 110, for
example, a single-ply 100% cotton woven fabric.  The towel 100 has at least one hem 120
stitched with thread 130.   The
towel 100 further comprises a piece of x-ray detectable material 140 enclosed
in the hem 120.  The color of the
thread 130 used to stitch the hem 120 is a different color than the color of
the fabric to make the towel 100 easily identifiable as having x-ray detectable
material 140.  Since the x-ray
detectable material 140 is enclosed in the hem 120, the material 140 will
remain attached to the towel 100. 
The towel 100 illustrated in Figure 1 shows three sides of the fabric
110 having hems; however, any number of edges of the towel 100 can have hems.
Refer to
Figure 2, which is a drawing illustrating a surgical towel with x-ray
detectable material according to an embodiment of the present invention.
The towel
200 as shown in Figure 2 is similar to the towel in Figure 1.  However, in this embodiment, the x-ray
detectable material 240 is a flexible flat piece of material that is stitched
over by the thread 230 and protrudes from the hem 220 of the fabric 210.  Since the material 240 is exposed, the
towel 200 is easily identifiable as being x-ray detectable.  Additionally, the material 240 can have
wording such as a manufacturer or brand name on the material 240. 
As
described above, the present
invention provides a surgical towel with x-ray
detectable material which eliminates the need for re-entry into a patent after
operating in situations where operating towels are missing.
Utilizing the towel of the present
invention, the patient can easily be x-rayed to determine whether a towel has
been left inside the patient after surgery.  Upon examination of the x-ray, the x-ray
detectable material can easily be observed by medical personnel if a towel is
still inside the patient.  If no
x-ray detectable material is observed, unnecessary re-entry into the patient is
prevented thereby reducing a patient’s suffering and the risk of malpractice
lawsuits.
It
will be apparent to those skilled in the art that various modifications and
variations can be made to the present invention without departing from the
scope or spirit of the invention. 
In view of the foregoing, it is intended that the present invention
cover modifications and variations of this invention provided they fall within
the scope of the invention and its equivalent.
CLAIMS
What is claimed
is:
1.    A surgical towel, comprising:
a sheet of woven fabric comprising at
least one stitched hem; and
at least one piece of x-ray detectable
material enclosed in the hem, the x-ray detectable material allowing indication
of the surgical towel upon x-ray.
2.    The surgical towel of claim 1, whereby the at
least one stitched hem is stitched with a thread of a different color than a
color of the fabric.
3.   The surgical towel of claim 1, whereby the piece of
x-ray detectable material comprises Barite, Barium, or BaSO4.
4.    The surgical towel of claim 3, whereby the piece
of x-ray detectable material further comprises polyvinyl chloride (PVC).
5.    The surgical towel of claim 4, whereby the piece
of x-ray detectable material comprises 60% BaSO4 and 40% PVC.
6.    The surgical towel of claim 1, whereby the sheet
of woven fabric comprises cotton, synthetic material or a combination of these.
7.    The surgical towel of claim 1, whereby the sheet
of woven fabric is single-ply.
8.    The surgical towel of claim 1, the x-ray
detectable material comprising shaped, coded, numbered, or identifying
characteristics to identify an x-rayed object as a surgical towel.
9.    A surgical towel, comprising:
a sheet of
single-ply woven cotton fabric having four edges;
at least one hem
stitched in at least one of the four edges; 
a thread for
stitching the at least one hem; and
at least one piece of x-ray detectable
material enclosed in one of the at least one hem.
10.   The surgical towel of claim 9, whereby the thread is of
a different color than a color of the fabric.
11.  The surgical towel of claim 9, whereby the piece of x-ray
detectable material comprises Barite, Barium, or BaSO4.
12.   The surgical towel of claim 11, whereby the piece of
x-ray detectable material further comprises polyvinyl chloride (PVC).
13.   The surgical towel of claim 12, whereby the piece of
x-ray detectable material comprises 60% BaSO4 and 40% PVC.
14.   The surgical towel of claim 9, the x-ray detectable
material comprising shaped, coded, numbered, or identifying characteristics to
identify an x-rayed object as a surgical towel.
15.   A surgical towel, comprising:
a sheet of fabric; and
at least one piece of x-ray detectable
material attached to the sheet of fabric.
16.   The surgical towel of claim 15, whereby the at least one
piece of x-ray detectable material is attached to the sheet of fabric by being
enclosed in a hem stitched in the sheet of fabric.
17.   The surgical towel of claim 16, whereby the hem is
stitched with a thread of a different color than a color of the fabric.
18.   The surgical towel of claim 15, whereby the piece of
x-ray detectable material comprises Barite, Barium, or BaSO4.
19.   The surgical towel of claim 15, whereby the piece of
x-ray detectable material is stitched or woven into or ironed on the sheet of
fabric.
20.   The surgical towel of claim 15, whereby the sheet of
fabric comprises cotton, synthetic material or a combination of these.
21.   The surgical towel of claim 15, whereby the sheet of
fabric is single-ply.
22.   The surgical towel of claim 15, the x-ray detectable
material comprising shaped, coded, numbered, or identifying characteristics to
identify an x-rayed object as a surgical towel.
ABSTRACT OF THE DISCLOSURE
A
surgical towel with x-ray
detectable material which eliminates the need for re-entry into a patent after
operating in situations where operating towels are missing.   The surgical towel comprises a
sheet of fabric having x-ray detectable material sewn inside the hem woven into
or otherwise attached to the fabric. 
The hem can be stitched with a thread of a different color
than the color of the fabric to make the towel easily
identifiable as being x-ray detectable. 
The x-ray detectable material can easily be observed by medical
personnel upon examination of an x-ray. 
If no x-ray detectable material is observed, unnecessary re-entry into
the patient is prevented.
2005152639.tif 000005
2005152639.tif 000006